(57)【特許請求の範囲】
【請求項１】
内壁枠に固定する内壁ボードが交差して接合することにより形成される入隅部における内壁ボードの貼付け施工方法において、
各曲折が直角になるようにＷ型に曲折した板状体であるジョイント部材の両端面を前記内壁枠と接する位置で固定した後、
ジョイント部材の前記両端面の裏面側であって前記両端面の裏面を除いた面であるW型の中間部分の２面のうち、一方の面と一の内壁ボードの入隅部側であってテーパーを設けた接合小口とを当接して内壁枠に固定し、
他方の面と他の内壁ボードの入隅部側であってテーパーを設けた接合小口とを当接して内壁枠に固定することを特徴とする入隅部における内壁ボードの貼付け施工方法。
【請求項２】
内壁枠に固定する内壁ボードが交差して接合することにより形成される入隅部における内壁ボードの貼付け施工方法において、
各曲折が直角になるようにＺ型に曲折した板状体であるジョイント部材の両端面のうち、一方の端面と前記内壁枠とが接し且つ他方の端面の長手方向の端縁と内壁枠とが当接する位置で固定した後、
ジョイント部材の前記一方の端面の裏面側であって前記一方の端面の裏面及び前記他方の端面を除いた面であるＺ型の中間部分の面と一の内壁ボードの入隅部側であってテーパーを設けた接合小口とを当接して内壁枠に固定し、
前記他方の端面と他の内壁ボードの入隅部側の接合小口とを当接して内壁枠に固定することを特徴とする入隅部における内壁ボードの貼付け施工方法。
【発明の詳細な説明】
【０００１】
【発明の属する技術分野】
本発明は、内壁枠に固定する内壁ボードが交差して接合することにより形成される入隅部における内壁ボードの接合構造、及び内壁ボードの貼付け施工方法に関するものである。
【０００２】
【従来の技術】
従来、入隅部において、内壁ボードを内壁枠に貼り付ける場合には、図１０及び図１１に示すように、内壁ボード３ａを入隅部において勝ち側となるように位置せしめ、一方、負け側となる内壁ボード３ｂを、その小口が内壁ボード３ａの表面に当接するように接合させていた。
【０００３】
すなわち、軸組み１に沿って取り付けられた内壁枠２ａ及び内壁枠２ｂにより形成される入隅部に対し、まず、勝ち側となる内壁ボード３ａを、その入隅部側の接合小口が内壁枠２ｂに当接するように内壁枠２ａに貼り付けた後、負け側となる内壁ボード３ｂを、その入隅側の接合小口が内壁ボード３ａの表面に当接するように内壁枠２ｂに貼り付けていた。
【０００４】
【発明が解決しようとする課題】
しかし、上記接合構造により、内壁ボードを内壁枠に貼り付ける場合には、内壁ボードの接合部分において内壁ボード同士が接触するので、内壁ボードの辺縁部分に欠けやひび割れが生じることが多い。特に、石膏製の内壁ボードでは、上記欠けやひび割れが生じ易い。そのような場合には、内壁ボードに貼り付けられる内装用クロスに凹凸や歪みが生じ、内装の外観を悪くしてしまうという問題が生じる。
また、入隅部において、勝ち負けをつけて内壁ボード接合させる場合には、負け側となる内壁ボード３ａのボード幅を短く、又は勝ち側となる内壁ボード３ｂのボード幅を長く加工しなければならない。
【０００５】
本発明は、上記の点に鑑みてなされたものであり、入隅部において、内壁ボードの辺縁部分に欠けやひび割れが生ずることなく内壁ボードを接合でき、また、該入隅部に貼り付けるべき内壁ボードのボード幅を統一できる手段を提供することを目的とする。
【０００６】
【課題を解決するための手段】
上記目的を達成するためになされた本発明の請求項１に係る発明は、内壁枠に固定する内壁ボードが交差して接合することにより形成される入隅部における内壁ボードの貼付け施工方法において、各曲折が直角になるようにＷ型に曲折した板状体であるジョイント部材の両端面を前記内壁枠と接する位置で固定した後、ジョイント部材の前記両端面の裏面側であって前記両端面の裏面を除いた面であるW型の中間部分の２面のうち、一方の面と一の内壁ボードの入隅部側であってテーパーを設けた接合小口とを当接して内壁枠に固定し、他方の面と他の内壁ボードの入隅部側であってテーパーを設けた接合小口とを当接して内壁枠に固定することを特徴とするものである。
【０００７】
また、請求項２に係る発明は、内壁枠に固定する内壁ボードが交差して接合することにより形成される入隅部における内壁ボードの貼付け施工方法において、各曲折が直角になるようにＺ型に曲折した板状体であるジョイント部材の両端面のうち、一方の端面と前記内壁枠とが接し且つ他方の端面の長手方向の端縁と内壁枠とが当接する位置で固定した後、ジョイント部材の前記一方の端面の裏面側であって前記一方の端面の裏面及び前記他方の端面を除いた面であるＺ型の中間部分の面と一の内壁ボードの入隅部側であってテーパーを設けた接合小口とを当接して内壁枠に固定し、前記他方の端面と他の内壁ボードの入隅部側の接合小口とを当接して内壁枠に固定することを特徴とするものである。
【００１０】
【発明の実施の形態】
以下、本発明の実施の形態を図面に基づき具体的に説明する。
図１及び図２には、本発明の第一実施例に係る入隅部における内壁ボードの接合構造が示されている。本接合構造は、Ｗ型に曲折した板状体であって、各曲折が直角であるジョイント部材を、内壁ボードの接合部に介設するものである。
【００１１】
図１及び図２に示すように、内壁ボード３ａ、３ｂを貼り付ける入隅部は、軸組み１に沿って取り付けられた内壁枠２ａ、２ｂにより形成されている。ジョイント部材４ａは、Ｗ型に曲折した板状体であって、各曲折が直角であるものであり、その板状体の両端の各面で、それぞれ内壁枠２ａ，２ｂに接している。内壁ボード３ａは、内壁枠２ａに貼り付けられており、その入隅部側の接合小口は、上記ジョイント部材４ａの一面に当接している。内壁ボード３ｂは、内壁枠２ｂに貼り付けられており、その入隅部側の接合小口は、上記ジョイント部材４ａの他面に当接している。各内壁枠２ａ、２ｂは、木製、金属製のものであり、各内壁ボード３ａ、３ｂは、石膏製のものであるが、それ以外の素材のものを用いてもよい。
【００１２】
上記ジョイント部材４ａは、図３に示すように、Ｗ型に曲折した板状体であって、各曲折が直角であるものであり、その板状体の長辺の長さａは、入隅部に貼り付ける各内壁ボードの縦寸法と一致する。一方、各曲折により形成される一辺の長さｂ１、ｂ２、ｂ３、ｂ４は次のように設定されている。長さｂ１、ｂ２は、入隅部に貼り付ける各内壁ボードの厚さと一致する。従って、長さｂ１と内壁ボード３ｂの厚さとが一致する場合には、長さｂ２と内壁ボード３ａの厚さとが一致し、また、長さｂ１と内壁ボード３ａの厚さとが一致する場合には、長さｂ２と内壁ボード３ｂの厚さとが一致する。通常は、同じ厚さの内壁ボードを使用するので、長さｂ１と長さｂ２とは同寸法となる。長さｂ３、ｂ４は、各内壁枠２ａ、２ｂに接して入隅部におけるジョイント部材４ａの位置を決めるに十分な長さであれば任意の長さとしてよいが、取扱い及び内壁ボードの貼付け作業の利便性等を考慮すると、長さｂ１、ｂ２とおよそ同程度の長さとすることが望ましい。
【００１３】
また、ジョイント部材４ａの板状体の厚さは、用いられる素材や、当該入隅部に求められる構造強度により異なる。ジョイント部材の素材は、鉄鋼等の金属、強化プラスチック、カーボン等があげられるが、いずれにせよ、ある程度の厚さが必要となるので、図２に示すように、各内壁枠２ａ、２ｂと各内壁ボード３ａ、３ｂとの間に、ジョイント部材４ａの厚さ分の隙間が生じる。この隙間を解消するには、図４に示すように、ジョイント部材４ａと当接する内壁ボードの入隅側の接合小口にテーパーを設ける。設けるべきテーパーは、上記長さｂ３、ｂ４を考慮して設定する。
なお、ジョント部材４ａの厚さが小さい場合、例えば、０．４ミリメートルから０．５ミリメートル程度の薄鉄板を用いた場合には、上記テーパーを設けなくてもよい。
【００１４】
また、上記長さｂ３、ｂ４に応じて、図５に示すように、ジョイント部材４ａには、適宜、挿通孔４１、４２を設ける。図６は、図４のＡ−Ａ断面の一部を示したものであるが、図示するように、内壁ボード３ａを内壁枠２ａに貼り付けるために打ち込む釘５は、内壁ボード３ａを貫通し、挿通孔４１を挿通して内壁枠２ａに到達する。このように、ジョイント部材４ａに上記挿通孔４１，４２を設けることにより、各内壁ボード３ａ、３ｂの接合部付近に釘５を打ち込み、各内壁ボード３ａ、３ｂを内壁枠２ａ、２ｂに確実に貼り付けることができる。
なお、当該挿通孔は、ジョイント部材４ａの長さｂ３、ｂ４が上記釘５の打込みに支障を与えない場合には、必ずしも設ける必要はない。また、ジョイント部材４ａの素材として薄鉄板やプラスチック等を用いた場合には、上記挿通孔を設けることなく、釘、ビス等を該ジョイント部材４ａに貫通するように打ち付けてもよい。
【００１５】
このように、Ｗ型に曲折した板状体であって、各曲折が直角であるジョイント部材４ａを、各内壁ボード３ａ、３ｂの接合部に介設することにより、各内壁ボード３ａ、３ｂが直接接触することを防止できる。
また、内壁ボードの接合部に勝ち負けを設ける必要がないので、当該入隅部に貼り付ける各内壁ボード３ａ、３ｂのボード幅を統一することができる。
【００１６】
つぎに、当該入隅部における内壁ボードの貼付け施工方法を説明する。
まず、内壁枠２ａ、２ｂにより形成される入隅部に、ジョイント部材４ａを、その板状体の両端の各面が、内壁枠２ａ，２ｂにそれぞれ接するように位置せしめる。その状態で、内壁ボード３ａを、その入隅部側の接合小口が上記ジョイント部材４ａの一面に当接するように、内壁枠２ａに貼り付ける。内壁ボード３ａの貼付けは、釘、ビス等により行うが、挿通孔が設けられているジョイント部材を使用する場合には、釘、ビス等が該挿通孔を挿通するように打ち付ける。つぎに、内壁ボード３ｂを、その入隅部側の接合小口が上記ジョイント部材４ａの他面に当接するように、内壁枠２ｂに貼り付ける。内壁ボード３ｂの貼付けは、上述した内壁ボード３ａの貼付けと同様に行う。
なお、当該挿通孔は、ジョイント部材４ａの長さｂ３、ｂ４が上記釘５の打込みに支障を与えない場合には、必ずしも設ける必要はない。また、ジョイント部材４ａの素材として薄鉄板やプラスチック等を用いた場合には、上記挿通孔を設けることなく、釘、ビス等を該ジョイント部材４ａに貫通するように打ち付けてもよい。
【００１７】
上記施工方法によれば、各内壁ボード３ａ、３ｂを直接接触させることなく、入隅部に内壁ボードを貼り付けるので、内壁ボードの辺縁部に欠けやひび割れが生じることがない。
また、内壁ボードの接合部に勝ち負けを設ける必要がないため、当該入隅部に貼り付ける各内壁ボード３ａ、３ｂのボード幅を統一することができるので、内壁ボードの加工を簡便化でき、また、施工時に内壁ボードの取違えを起こすこともない。
【００１８】
なお、上記施工方法では、当該入隅部にジョイント部材４ａを位置せしめ、先に内壁ボード３ａを内壁枠２ａに貼り付けた後、内壁ボード３ｂを内壁枠２ｂに貼り付けることとしたが、先に内壁ボード３ｂを内壁枠２ｂに貼り付けた後、内壁ボード３ａを内壁枠２ａに貼り付けることとしても、上記と同様の効果を得ることができる。
【００１９】
つぎに、本発明の第二実施例に係る入隅部における内壁ボードの接合構造を説明する。本接合構造は、Ｚ型に曲折した板状体であって、各曲折が直角であるジョイント部材を、内壁ボードの接合部に介設するものである。
【００２０】
図７及び図９に示すように、内壁ボード３ａ、３ｂを貼り付ける入隅部は、軸組み１に沿って取り付けられた内壁枠２ａ、２ｂにより形成されている。ジョイント部材４ｂは、Ｚ型に曲折した板状体であって、各曲折が直角であるものであり、その板状体の一端の面で、内壁枠２ａ接し、他端部が内壁枠２ｂに当接している。内壁ボード３ａは、内壁枠２ａに貼り付けられており、その入隅部側の接合小口は、上記ジョイント部材４ａの一面に当接している。内壁ボード３ｂは、内壁枠２ｂに貼り付けられており、その入隅部側の接合小口は、上記ジョイント部材４ｂの他面に当接している。
【００２１】
上記ジョイント部材４ｂは、図９に示すように、Ｚ型に曲折した板状体であって、各曲折が直角であるものであり、その板状体の長辺の長さａは、入隅部に貼り付ける各内壁ボードの縦寸法と一致する。一方、各曲折により形成される一辺の長さｂ１、ｂ２、ｂ３は、上述の第一実施例と同様に設定されている。すなわち、長さｂ１、ｂ２は、入隅部に貼り付ける各内壁ボードの厚さと一致し、長さｂ３は、内壁枠２ａと接して入隅部におけるジョイント部材４ｂの位置を決めるに十分な長さである。
【００２２】
また、図８に示すように、内壁ボード３ａには、ジョイント部材４ｂの厚さにより生じる隙間を解消するため、ジョイント部材４ｂと当接する側の接合小口にテーパーを設ける。
なお、上述と同様に、ジョント部材４ｂの厚さが小さい場合、例えば、０．４ミリメートルから０．５ミリメートル程度の薄鉄板を用いた場合には、上記テーパーを設けなくてもよい。
【００２３】
このように、Ｚ型に曲折した板状体であって、各曲折が直角であるジョイント部材４ｂを、入隅部の各内壁ボード３ａ、３ｂの接合部に介設することにより、各内壁ボード３ａ、３ｂが直接接触することを防止できる。
また、内壁ボードの接合部に勝ち負けを設ける必要がないので、当該入隅部に貼り付ける各内壁ボード３ａ、３ｂのボード幅を統一することができる。
なお、必要であれば、ジョイント部材４ｂには、上述したように、適宜、挿通孔を設ける。
【００２４】
つぎに、当該入隅部における内壁ボードの貼付け施工方法を説明する。
まず、内壁枠２ａ、２ｂにより形成される入隅部に、ジョイント部材４ｂを、その板状体の一端の面が、内壁枠２ａに接し、他端部が内壁枠２ｂに当接するように位置せしめる。その状態で、内壁ボード３ａを、その入隅部側の接合小口が上記ジョイント部材４ｂの一面に当接するように、内壁枠２ａに貼り付ける。つぎに、内壁ボード３ｂを、その入隅部側の接合小口が上記ジョイント部材４ｂの他面に当接するように、内壁枠２ｂに貼り付ける。内壁ボード３ａ、３ｂの貼付けは、上述の第一実施例と同様に行う。
【００２５】
上記施工方法によれば、各内壁ボード３ａ、３ｂを直接接触させることなく、入隅部に内壁ボードを貼り付けるので、内壁ボードの辺縁部に欠けやひび割れが生じることがない。
また、内壁ボードの接合部に勝ち負けを設ける必要がないため、当該入隅部に貼り付ける各内壁ボード３ａ、３ｂのボード幅を統一することができるので、内壁ボードの加工を簡便化でき、また、施工時に内壁ボードの取違えを起こすこともない。
【００２６】
なお、上記施工方法では、当該入隅部にジョイント部材４ｂを位置せしめ、先に内壁ボード３ａを内壁枠２ａに貼り付けた後、内壁ボード３ｂを内壁枠２ｂに貼り付けることとしたが、先に内壁ボード３ｂを内壁枠２ｂに貼り付けた後、内壁ボード３ａを内壁枠２ａに貼り付けることとしても、上記と同様の効果を得ることができるが、後者の場合には、ジョイント部材４ｂは、その板状体の一端の面が、内壁枠２ｂに接し、他端部が内壁枠２ａに当接するように位置せしめることが望ましい。
【００２７】
【発明の効果】
以上説明したように、本発明によれば、内壁枠に固定する内壁ボードが交差して接合することにより形成される入隅部において、Ｗ型又はＺ型に曲折した板状体であって各曲折が直角であるジョイント部材を当該入隅部に位置せしめ、一の内壁ボードの入隅部側のテーパーを設けた接合小口と、該ジョイント部材の一面とを当接し、他の内壁ボードの入隅側の接合小口と、該ジョイント部材の他面とを当接するようにしたので、内壁ボード同士が直接接触することなく、当該入隅部に内壁ボードを貼り付けることができる。従って、内壁ボードの辺縁部分に欠けやひび割れが生ずることを防止できる。また、内壁ボードの接合部に勝ち負けを設ける必要がないため、当該入隅部に貼り付けるべき内壁ボードのボード幅を統一することができる。従って、内壁ボードの加工を簡便化でき、また、施工時に内壁ボードの取違えを起こすこともない。
【図面の簡単な説明】
【図１】本発明の第一実施例に係る入隅部における内壁ボードの接合構造を示す概略斜視図である。
【図２】本発明の第一実施例に係る入隅部における内壁ボードの接合構造を示す平面図である。
【図３】ジョイント部材４ａの構造を示す概略斜視図である。
【図４】本発明の第一実施例に係る入隅部における内壁ボードの接合構造を示す平面図である。
【図５】挿通孔を設けたジョイント部材４ａの構造を示す概略斜視図である。
【図６】図４のＡ−Ａ断面の一部を示す断面図である。
【図７】本発明の第二実施例に係る入隅部における内壁ボードの接合構造を示す概略斜視図である。
【図８】本発明の第二実施例に係る入隅部における内壁ボードの接合構造を示す平面図である。
【図９】ジョイント部材４ｂの構造を示す概略斜視図である。
【図１０】従来の入隅部における内壁ボードの接合構造を示す概略斜視図である。
【図１１】従来の入隅部における内壁ボードの接合構造を示す平面図である。
【符号の説明】
１  軸組み
２ａ，２ｂ  内壁枠
３ａ，３ｂ  内壁ボード
４ａ，４ｂ  ジョイント部材
４１，４２  挿通孔
５  釘
【図１】
0003934831.tif 000002
【図２】
0003934831.tif 000003
【図３】
0003934831.tif 000004
【図４】
0003934831.tif 000005
【図５】
0003934831.tif 000006
【図６】
0003934831.tif 000007
【図７】
0003934831.tif 000008
【図８】
0003934831.tif 000009
【図９】
0003934831.tif 000010
【図１０】
0003934831.tif 000011
【図１１】
0003934831.tif 000012